(57)【特許請求の範囲】
【請求項１】
それ自体の上面に化粧品が陳列される陳列台本体と、宣伝用パネルと、支受用板状体とを備え、この支受用板状体を、それ自体の上端部で陳列台本体を支受する脚部と、この脚部より高く形成され上記宣伝用パネルを支受するパネル支受部とで構成し、上記陳列台本体の背部に、上記パネル支受部を上下方向に挿通しうるスリットを形成し、このスリットに上記パネル支受部を挿通した状態で、上記陳列台本体の背部を脚部の上端部で支受し、上記宣伝用パネルをパネル支受部に着脱自在に固定し、上記陳列台本体の前部と脚部の下端部で陳列台本体の傾斜姿勢を保持し、上記陳列台本体の上面に、化粧品を寝かせた状態で保持するための第１の凹部を形成し、上記化粧品を寝かせた状態で陳列台の上面を蓋する蓋体を有し、上記第１の凹部の底面に、この第１の凹部に寝かせた状態で保持しうる化粧品を立てた状態で保持するための第２の凹部を形成していることを特徴とする化粧品陳列台。
【発明の詳細な説明】
【０００１】
【発明の属する技術分野】
本発明は、化粧品（販売用の商品やテスター品等）の陳列に用いられる化粧品陳列台に関するものである。
【０００２】
【従来の技術】
従来から、口紅やファンデーション等の化粧品（例えば、テスター品等）を陳列する場合に、化粧品が見えやすいように、これを陳列した陳列台本体を傾斜させて配設することがよく行われている。このような陳列台としては、例えば、図１７に示すように、上面にファンデーション等の化粧料３０を陳列する陳列台本体３１と、この陳列台本体３１を傾斜状態で支受する支受台３２とを備え、この支受台３２の背部に、図１８に示すように、品名等を記載したＴ字形バックボード３３を取り付けたものがよく用いられている。また、上記陳列台本体３１と支受台３２を一体化した陳列台もある。図１７において、３０ａは化粧料３０を収容する化粧皿である。また、図１８において、３４は複数の（この例では、１８個の）化粧皿３０ａを収容するための凹部である。
【０００３】
【発明が解決しようとする課題】
しかしながら、上記の陳列台では、陳列台本体３１と支受台３２とＴ字形バックボード３３とを備えているため、部品点数が多くなり、在庫管理等の管理面が複雑化し、かつ、高価になる。また、陳列台本体３１と支受台３２とを一体化したものでは、両者を分離することができないため、持ち運ぶ際に大きなペースを必要とし、携帯等に適さない。
【０００４】
本発明は、このような事情に鑑みなされたもので、部品点数が少なく、かつ、安価で、しかも、携帯等に適した化粧品陳列台の提供をその目的とする。
【０００５】
【課題を解決するための手段】
上記の目的を達成するため、本発明の化粧品陳列台は、それ自体の上面に化粧品が陳列される陳列台本体と、宣伝用パネルと、支受用板状体とを備え、この支受用板状体を、それ自体の上端部で陳列台本体を支受する脚部と、この脚部より高く形成され上記宣伝用パネルを支受するパネル支受部とで構成し、上記陳列台本体の背部に、上記パネル支受部を上下方向に挿通しうるスリットを形成し、このスリットに上記パネル支受部を挿通した状態で、上記陳列台本体の背部を脚部の上端部で支受し、上記宣伝用パネルをパネル支受部に着脱自在に固定し、上記陳列台本体の前部と脚部の下端部で陳列台本体の傾斜姿勢を保持し、上記陳列台本体の上面に、化粧品を寝かせた状態で保持するための第１の凹部を形成し、上記化粧品を寝かせた状態で陳列台の上面を蓋する蓋体を有し、上記第１の凹部の底面に、この第１の凹部に寝かせた状態で保持しうる化粧品を立てた状態で保持するための第２の凹部を形成しているという構成をとる。
【０００６】
すなわち、本発明の化粧品陳列台は、それ自体の上面に化粧品が陳列される陳列台本体と、宣伝用パネルと、支受用板状体とを備えている。そして、上記陳列台本体の背部に形成したスリットに支受用板状体のパネル支受部を挿通した状態で、このパネル支受部で宣伝用パネルを支受している。また、上記挿通した状態で、支受用板状体の脚部の上端部で陳列台本体の背部を支受し、これにより、上記陳列台本体の前部と脚部の下端部で陳列台本体の傾斜姿勢を保持している。このように、本発明の化粧品陳列台では、１つの支受用板状体で陳列台本体と宣伝用パネルの双方を支受しているため、部品点数が少なくて済み、安価にもなる。しかも、支受用板状体は板状体であるため、嵩張らない。また、陳列台本体と宣伝用パネルと支受用板状体を分離して持ち運ぶことができるため、携帯等に便利である。
【０００７】
また、本発明では、陳列台本体の上面に、化粧品を寝かせた状態で保持する第１の凹部と、化粧品を立てた状態で保持する第２の凹部とが形成され、上記第１の凹部に化粧品を寝かせた状態で陳列台の上面を蓋する蓋体を有しているため、化粧品を収容した陳列台本体を蓋体で蓋した状態で持ち運ぶことができ、便利である。
【０００８】
【発明の実施の形態】
つぎに、本発明の実施の形態を図面にもとづいて詳しく説明する。
【０００９】
図１は本発明の化粧品陳列台の一実施の形態を示している。この実施の形態では、化粧品陳列台は、陳列台本体１と、宣伝用パネル２と、支受体（支受用板状体）３と、クリップ４（図１５参照）と、透明な平板状のプラスチック製カラーアイズ保護シート５とを備えている。また、上記陳列台本体１を携帯等して持ち運ぶ際に使用するものとして、上記陳列台本体１の上面を蓋する蓋体６（図２参照）をも備えている。
【００１０】
上記陳列台本体１は、図３〜図７に示すように、１枚の透明なプラスチック製シートをプレス成形等してなる陳列ケース１１と、透明なプラスチック製スリット成形体１２とで構成されている。上記陳列ケース１１は、前下り傾斜状に形成された上面部１１ａと、この上面部１１ａの外周縁から垂下する側面部１１ｂと、この側面部１１ｂの下端部外周縁から突設される鍔部１１ｃとからなる。そして、上記上面部１１ａに、７つの化粧皿収容凹部１３と、３つのライナー収容凹部１４と、左右方向に一連に繋がる３つのボトル収容凹部１５と、３つのボトル載置凹部１６（これら各ボトル載置凹部１６は、上記一連に繋がるボトル収容凹部１５の底面に凹設されたものである）が形成されており、上記各化粧皿収容凹部１３に、カラーアイズ等の化粧料１７ａを収容した化粧皿１７が収容され、上記各ライナー収容凹部１４にライナー１８が収容され、上記各ボトル載置凹部１６（第２の凹部）に、ネイルカラー（図示せず）を収容したボトル１９が立てられている。また、上記ボトル収容凹部１５（第１の凹部）には、ボトル１９を寝かせた状態で収容しうるようになっている（図１４参照）。
【００１１】
また、上記陳列ケース１１には、その背部に凹部１０が形成されており、この凹部１０に上記スリット成形体１２が固定されている。このスリット成形体１２は、長方形平板部１２ａと、この長方形平板部１２ａの前面に固定されたコ字部１２ｂとからなり、上記長方形平板部１２ａの前面とコ字部１２ｂの内周面との間に、上下方向に貫通するスリット２１が形成されている。図７において、１２ｃはコ字部１２ｂの相対向する縦辺部である。
【００１２】
上記宣伝用パネル２は、その前面に品名，キャッチコピー等が記載されたプラスチック製平板からなり、その裏面の下端部にクリップ４（図１５参照）が接着等により固定されている。このクリップ４は、透明なプラスチック製平板を二つ折り状に成形したものであり、両折り曲げ片のうち、一方の折り曲げ片が弾性片となり、他方の折り曲げ片が上記宣伝用パネル２への固定片となる。
【００１３】
上記支受体３は、図８および図９に示すように、略山字形状の板状体であり、上部に左右一対の凹部２２ａが形成された脚部２２と、上記両凹部２２ａで挟まれた上記脚部２２の部分から上方に突設されたパネル支受部２３とからなり、パネル支受部２３の下端部に形成された切り目３ａにより、パネル支受部２３を脚部２２に対し適宜の傾斜角度に傾斜させることができるようにしている。この実施の形態では、上記傾斜角度は、陳列台本体１をテスター台として使用した際にパネル支受部２３が垂直姿勢となる傾斜角度に設定されている。
【００１４】
上記蓋体６は、図１０〜図１３に示すように、１枚の透明なプラスチック製シートをプレス成形等してなるものであり、上記陳列台本体１の上面部１１ａを蓋する蓋部６ａと、この蓋部６ａの外周縁から垂下する側面部６ｂと、この側面部６ｂの下端部外周縁から突設される鍔部６ｃとからなる。また、上記蓋部６ａには、上記上面部１１ａの２つのライナー収容凹部１４に対応する部分に、ライナー１８を覆う２つのライナー収容凸部２５が形成されているとともに、上記上面部１１ａの各ボトル収容凹部１５に対応する部分に、寝かせた状態のボトル１９を覆う３つのボトル収容凸部２６が形成されている。
【００１５】
上記の構成において、陳列台本体１と化粧皿１７，ライナー１８，ボトル１９等を一緒に持ち運ぶ場合には、陳列台本体１の陳列ケース１１に形成された各収容凹部１３〜１５に化粧皿１７，ライナー１８，寝かせた状態のボトル１９（図１４参照）を収容したのち、蓋体６で蓋することを行う。一方、陳列台本体１をテスター台として使用する場合には、図１５に示すように、陳列台本体１の背部に固定したスリット成形体１２のスリット２１に支受体３のパネル支受部２３を挿通し、支受体３の脚部２２の左右両上端面を陳列台本体１の背部の裏面に当接させた状態で、陳列台本体１の前部および脚部２２の下端部を陳列棚２８等に載置する。その状態で、陳列台本体１は傾斜姿勢に保持されている（図１６参照）。そののち、宣伝用パネル２を、その裏面に固定されたクリップ４を介してパネル支受部２３の上端部に着脱自在に支受することを行う。
【００１６】
このように、上記実施の形態では、１つの支受体３の脚部２２で陳列台本体１を傾斜姿勢に保持するとともに、パネル支受部２３で宣伝用パネル２を支受しているため、部品点数が少なくて済み、かつ、安価である。しかも、持ち運びの際には、蓋体６で陳列台本体１の上面を蓋することができ、便利である。さらに、陳列台本体１の上面部１１ａが前下り傾斜状に形成されているため、陳列台本体１を水平姿勢にした状態でも、上面部１１ａに陳列した化粧皿１７等が見やすい。また、陳列台本体１をテスター台として使用する場合に、陳列台本体１を陳列棚２８等に対し傾斜させる角度が小さくてよいため、支受体３の脚部２２の高さを短くして、支受体３の小型化を図ることができる。
【００１７】
なお、上記実施の形態では、陳列台本体１の上面部１１ａを前下り傾斜状に形成しているが、これに限定するものではなく、水平面に形成してもよい。また、支受体３のパネル支受部２３を脚部２２に対して傾斜させなくてもよい。
【００１８】
【発明の効果】
以上のように、本発明の化粧品陳列台によれば、１つの支受用板状体で陳列台本体と宣伝用パネルの双方を支受しているため、部品点数が少なくて済み、安価にもなる。しかも、支受用板状体は板状体であるため、嵩張らない。また、陳列台本体と宣伝用パネルと支受用板状体を分離して持ち運ぶことができるため、携帯等に便利である。
【００１９】
また、本発明では、陳列台本体の上面に、化粧品を寝かせた状態で保持する第１の凹部と、化粧品を立てた状態で保持する第２の凹部とが形成され、上記第１の凹部に化粧品を寝かせた状態で陳列台の上面を蓋する蓋体を有しているため、化粧品を収容した陳列台本体を蓋体で蓋した状態で持ち運ぶことができ、便利である。
【図面の簡単な説明】
【図１】本発明の化粧品陳列台の一実施の形態を示す斜視図である。
【図２】陳列台本体と蓋体を示す斜視図である。
【図３】上記陳列台本体を示す平面図である。
【図４】上記陳列台本体を示す側面図である。
【図５】上記陳列台本体を示す断面図である。
【図６】上記陳列台本体を示す断面図である。
【図７】上記陳列台本体を示す背面図である。
【図８】支受体を示す正面図である。
【図９】上記支受体を示す側面図である。
【図１０】蓋体を示す平面図である。
【図１１】上記蓋体を示す側面図である。
【図１２】上記蓋体を示す断面図である。
【図１３】上記蓋体を示す断面図である。
【図１４】上記陳列台本体を蓋体で蓋した態様を示す断面図である。
【図１５】上記実施の形態の組み付け状態を示す斜視図である。
【図１６】上記実施の形態の使用態様を示す断面図である。
【図１７】従来の化粧品陳列台の一例を示す斜視図である。
【図１８】従来の化粧品陳列台の一例を示す分解斜視図である。
【符号の説明】
１  陳列台本体
２  宣伝用パネル
３  支受体
１７  化粧皿
２２  脚部
２３  パネル支受部
【図１】
0003562756.tif 000002
【図２】
0003562756.tif 000003
【図３】
0003562756.tif 000004
【図４】
0003562756.tif 000005
【図５】
0003562756.tif 000006
【図６】
0003562756.tif 000007
【図７】
0003562756.tif 000008
【図８】
0003562756.tif 000009
【図９】
0003562756.tif 000010
【図１０】
0003562756.tif 000011
【図１１】
0003562756.tif 000012
【図１２】
0003562756.tif 000013
【図１３】
0003562756.tif 000014
【図１４】
0003562756.tif 000015
【図１５】
0003562756.tif 000016
【図１６】
0003562756.tif 000017
【図１７】
0003562756.tif 000018
【図１８】
0003562756.tif 000019